(57)【要約】【課題】玉返却した際に落下点へ与える落下のダメージを低減可能な遊技媒体返却通路、遊技媒体返却通路付の台間機、遊技媒体返却通路の台間機取付方法を提供する。【解決手段】パチンコ機を列設してなる島内に遊技媒体を返却する遊技媒体返却通路３において、遊技媒体返却通路３の出口２側の外側に、遊技媒体の落下方向を分散させる、または／および、遊技媒体の落下速度を低下させる、ための落下制限機構１を備える。【選択図】図２
2010137089.tif 000002
【特許請求の範囲】
【請求項１】
パチンコ機を列設してなる島内に遊技媒体を返却する遊技媒体返却通路において、
前記遊技媒体返却通路の出口側の外側に、遊技媒体の落下方向を分散させる、および、遊技媒体の落下速度を低下させる、ための落下制限機構を備え、
前記落下制限機構は、落下方向へ落下する遊技媒体を衝突可能な線状体により形成され、かつ、下流端側に、遊技媒体が通過できない底部を有し、
前記底部は、遊技媒体が溜まることができるように下方に凸に形成されていることを特徴とする遊技媒体返却通路。
【請求項２】
前記底部は、前記線状体を渦巻きの如く形成した渦巻き部であることを特徴とする請求項１記載の遊技媒体返却通路。
【請求項３】
当該遊技媒体返却通路は、前記パチンコ機から排出された遊技媒体を受ける玉受部から流下した遊技媒体を当該遊技媒体返却通路に導く玉通路に接続され、かつ、遊技媒体を遊技者側から島内へ流下可能な傾斜を備えた傾斜路であることを特徴とする請求項１または２いずれか記載の遊技媒体返却通路。
【請求項４】
請求項１乃至３いずれか記載の遊技媒体返却通路を内在させるかまたは隣接配置可能であり、遊技台に隣接して設けられ、投入された現金または受け付けた記憶媒体に記憶された有価価値特定情報に基づいて遊技媒体を貸し出すための処理をすることを特徴とする遊技媒体返却通路付の台間機。
【請求項５】
請求項１乃至３いずれか記載の遊技媒体返却通路を、遊技台に隣接して設けられ、投入された現金または受け付けた記憶媒体に記憶された有価価値特定情報に基づいて遊技媒体を貸し出すための処理をする台間機の下方側に取り付ける工程を有することを特徴とする遊技媒体返却通路の台間機取付方法。
【発明の詳細な説明】
【技術分野】
【０００１】
本発明は、パチンコ玉などの遊技媒体を、パチンコ機等を列設した島内に返却するための遊技媒体返却通路、遊技媒体返却通路付の台間機、遊技媒体返却通路の台間機取付方法、に関する。
【背景技術】
【０００２】
従来、例えば特許文献１の玉通路管６、特許文献２のスパイラルジャバラ１９、特許文献３の螺旋管９０のようなバネ状体を介して、パチンコ玉を島内のドブに返却する。バネ状体は、通常金属性の線状体を螺旋形状に形成してバネ状体としたもので、線状体間の間隔がパチンコ玉の直径よりかなり狭いのでパチンコ玉を上方に向けてリバンドさせて落下速度を低下させることもできない。また従来、例えば特許文献４のような台間機下方に台間機の遊技者側から島内にかけて横断するパチンコ玉の遊技媒体返却通路（玉計数機２３の前後側の通路）を設ける場合には、横断する遊技媒体返却通路が助走路となってしまい、助走して加速した分、落下点で受ける衝撃はさらに大きい。
【先行技術文献】
【特許文献】
【０００３】
【特許文献１】特開平０９−３０８７５４
【特許文献２】特開平１１−５７１９２
【特許文献３】特開２００７−２８３０５１
【特許文献４】特開平０６−２６１９８０
【発明の概要】
【発明が解決しようとする課題】
【０００４】
しかしながら上記の如くの従来例では、排出された玉は、特許文献１〜３におけるバネ状体や特許文献４における遊技媒体返却通路によって落下方向が固定されて落下点が１点になってしまったり、遊技媒体の落下速度が低減する形態でもなかったので、玉研磨揚送装置へ流下させるためのドブの所定の１点に繰り返して落下することでドブが損傷してしまうという問題点が発生する。
【０００５】
本発明は、このような事情に鑑みてなされたもので、玉返却した際に落下点へ与える落下のダメージを低減することを目的とする。
【課題を解決するための手段】
【０００６】
上記課題を解決すべく本発明の遊技媒体返却通路は、パチンコ機を列設してなる島内に遊技媒体を返却する遊技媒体返却通路において、前記遊技媒体返却通路の出口側の外側に、遊技媒体の落下方向を分散させる、および、遊技媒体の落下速度を低下させる、ための落下制限機構を備え、前記落下制限機構は、落下方向へ落下する遊技媒体を衝突可能な線状体により形成され、かつ、下流端側に、遊技媒体が通過できない底部を有し、前記底部は、遊技媒体が溜まることができるように下方に凸に形成されていることを特徴とする。
【０００７】
この発明によれば、遊技媒体返却通路の出口側の外側に、遊技媒体の落下方向を分散させる、および、落下速度を低下させる、ための落下制限機構を備えるので、落下点が分散したり、落下速度が低下できるので遊技媒体の落下点における衝撃を低減できる。
【０００８】
なお、本発明における落下制限機構は、落下中の遊技媒体の落下方向を複数の方向に変更するための物体、および、落下中の遊技媒体の落下速度を低下させるために、遊技媒体の落下中に遊技媒体との接触の結果上方にリバンドさせるための物体を、遊技媒体の落下方向に落下中の遊技媒体が接触するよう返却通路の出口から落下点であるドブまでの間に配置したものである。また落下制限機構は、必ずしも遊技媒体返却通路自体に取り付けられる必要はなく、台間機、台間機と隣接する筐体乃至支持体に取り付けるようにしてもよい。
【０００９】
また本発明の遊技媒体返却通路は、さらに前記底部は、前記線状体を渦巻きの如く形成した渦巻き部であることを特徴とする。
【００１０】
また本発明の遊技媒体返却装置は、さらに、前記パチンコ機から排出された遊技媒体を受ける玉受部から流下した遊技媒体を当該遊技媒体返却通路に導く玉通路に接続され、かつ、遊技媒体を遊技者側から島内へ流下可能な傾斜を備えた傾斜路であることを特徴とする。
【００１１】
また、本発明の台間機は、さらに、上記記載の遊技媒体返却通路を内在させるかまたは隣接配置可能であり、遊技台に隣接して設けられ、投入された現金または受け付けた記憶媒体に記憶された有価価値特定情報に基づいて遊技媒体を貸し出すための処理をすることを特徴とする。この発明によれば、本発明の遊技媒体返却通路を台間機に適用できる。なお、「遊技媒体を貸し出すための処理」とは、台間機自体からパチンコ台の上皿にノズルを介してパチンコ玉を貸し出す台間玉貸機、パチンコ台がパチンコ玉を上皿に貸し出す為に台間機からパチンコ台へ指示信号を出力する台間ユニット、等が例示できる。
【００１２】
また、本発明の遊技媒体返却通路の台間機取付方法は、上記記載の遊技媒体返却通路を、遊技台に隣接して設けられ、投入された現金または受け付けた記憶媒体に記憶された有価価値特定情報に基づいて遊技媒体を貸し出すための処理をする台間機の下方側に取り付ける工程を有することを特徴とする。この発明によれば、本発明の遊技媒体返却通路を台間機に取り付けることができる。
【発明の効果】
【００１３】
本発明によれば、遊技媒体返却通路の出口側の外側に、遊技媒体の落下方向を分散させる、または／および、落下速度を低下させる、ための落下制限機構を備えるので、落下点が分散したり、落下速度が低下できるので遊技媒体の落下点における衝撃によるダメージを低減できるという効果が得られる。
【図面の簡単な説明】
【００１４】
【図１】本発明の遊技媒体返却通路、遊技媒体返却通路付の台間機を示す斜視図である。
【図２】（ＴｙｐｅＡ−Ｓｉｄｅ  Ｖｉｅｗ）は遊技媒体返却通路の第１例を島内の長手方向から水平方向に見た図である。（ＴｙｐｅＡ―Ｂｏｔｔｏｍ  Ｖｉｅｗ）は遊技媒体返却通路の第１例における落下制限機構を下方側から上方を見た図である。
【図３】（ＴｙｐｅＡ’−Ｓｉｄｅ  Ｖｉｅｗ）は遊技媒体返却通路の第１例の類似例を島内の長手方向から水平方向に見た図である。（ＴｙｐｅＡ’―ＰＳ  Ｖｉｅｗ）は遊技媒体返却通路の第１例における落下制限機構をＰＳ視側から上方を見た図である。
【図４】（ＴｙｐｅＢ−Ｓｉｄｅ  Ｖｉｅｗ）は遊技媒体返却通路の第２例を島内の長手方向から水平方向に見た図である。（ＴｙｐｅＢ―Ｂｏｔｔｏｍ  Ｖｉｅｗ）は遊技媒体返却通路の第２例における落下制限機構を下方側から上方を見た図である。
【図５】（ＴｙｐｅＣ−Ｓｉｄｅ  Ｖｉｅｗ）は遊技媒体返却通路の第３例を島内の長手方向から水平方向に見た図である。（ＴｙｐｅＣ―Ｂｏｔｔｏｍ  Ｖｉｅｗ）は遊技媒体返却通路の第３例における落下制限機構を下方側から上方を見た図である。
【図６】（ＴｙｐｅＤ−Ｓｉｄｅ  Ｖｉｅｗ）は遊技媒体返却通路の第４例を島内の長手方向から水平方向に見た図である。
【図７】（ＴｙｐｅＥ−Ｓｉｄｅ  Ｖｉｅｗ）は遊技媒体返却通路の第５例を島内の長手方向から水平方向に見た図である。
【発明を実施するための形態】
【００１５】
以下、本発明の最良の実施形態による遊技媒体返却通路、遊技媒体返却通路付の台間機、遊技媒体返却通路の台間機取付方法を、図面を参照して説明する。図１は本発明の遊技媒体返却通路、遊技媒体返却通路付の台間機を示す斜視図である。符号１は、落下制限機構である。符号３は遊技媒体返却通路であり、符号８の台間機の下部に内在した遊技者側から島（遊技機及び台間機が交互に列設されたパチンコホールにおける設備）内のどぶ５へ流下可能な傾斜を備えた傾斜路である。遊技媒体返却通路３の下流側には出口２を備え、出口２の外側に落下制限機構１を備える。符号４は、符号６の玉受部から流下した遊技媒体を遊技媒体返却通路３に導く玉通路である。符号７はパチンコ遊技台である。
【００１６】
図１において、遊技客は、紙幣を紙幣挿入口９に挿入すると紙幣が真であれば、記録媒体（例えばカード）受付口１０に内在する記録媒体に対応付けて上記紙幣分の度数（有価価値）を台間機８と通信可能にネットワークされた管理装置（図示なし）に記憶する。また遊技客が遊技台７に設けられた貸玉ボタン１１を押すと、遊技台７から上皿にパチンコ玉（遊技媒体）が貸し出される。そして遊技客は、パチンコ玉を遊技台７に打ち込んで遊技をし、その遊技の結果、遊技媒体を獲得すると遊技台７の下皿から玉受部６に放出する。すると玉受部６に受けた遊技媒体を、玉通路４を介して島内奥側に向かって流下可能な傾斜を備えた遊技媒体返却通路３へ導き、出口２を経て落下制限機構１から島内のどぶ５に排出する。遊技客は遊技を終えて、遊技台７に設けられた返却ボタン１２を押すと、記録媒体受付口１０から記録媒体を排出する。ところで遊技媒体返却通路３は、台間機８の下部に内在するとしたが、台間機８の下方側に、台間機８の筐体とは別体の筐体１３に内在させるようにしてもよい。
【００１７】
なお図１において、どぶ５は、最下流側に設けられた揚送機のある島中央に向かってパチンコ玉を流下可能に傾斜する傾斜路であって、薄い金属板で構成される例が多く、落下制限機構１を設けない場合、出口２から落下したパチンコ玉との同一箇所への繰り返し衝突による衝撃によって容易に穴があき、島中央へ向かってパチンコ玉を流下させることが困難となる。そこで本実施の形態では落下制限機構を遊技媒体返却通路３の出口側の外側に設け、パチンコ玉の落下方向の分散や落下速度の低下を行い、どぶに穴があかないようにする。
【００１８】
落下制限機構１は、種々の態様を例示することができ、本実施の形態では、図２のＴｙｐｅＡにおける１Ａ、図３のＴｙｐｅＡ’における１Ａ’、図４のＴｙｐｅＢにおける１Ｂ、図５のＴｙｐｅＣにおける１Ｃ、図６のＴｙｐｅＤにおける１Ｄ、図７のＴｙｐｅＥにおける１Ｅを例示して説明する。なお最良の実施の形態としては図２、図３におけるＴｙｐｅＡ、ＴｙｐｅＡ’等を例示する。
【００１９】
図２を説明する。図２は、島内の長手方向から水平方向に見た図（図１では右方向から見た）である。図２において、遊技媒体返却通路３の下流側に穿設された出口２は、流下するパチンコ玉を通過可能な開口面積を有する。出口２の下方には、遊技媒体返却通路３の下面に落下制限機構１Ａを垂下させて備える。遊技媒体返却通路３は台間機８の遊技者側の短手方向の寸法が４ｃｍ弱であるため、パチンコ玉２個が並列して流下可能な寸法に設けられる。従って出口２の開口面積もパチンコ玉の直径１１ｍｍ２個が並んで通過可能な面積に設けられる。
【００２０】
落下制限機構１Ａは、線状体を螺旋構造に形成してバネ状体としたものである。線状体には金属、プラスチックなどを用いて形成することができる。バネ状体の出口２側の最上流における開口部は、出口２の開口面積より大きな面積に、断面が円状に形成されている。バネ状体の出口２側の最上流における開口部は、このような開口面積することで出口２から落下するパチンコ玉の通過の障害とならずにスムーズにどぶ５に導くことができる。
【００２１】
また落下制限機構１Ａは、１Ａ３の長さ領域において、バネ状体に形成された線状体間の間隔Ｑは、パチンコ玉の直径１１ｍｍの１／２より小さく、パチンコ玉が線状体に衝突した場合、パチンコ玉の下半球と線状体とが衝突しないため上方にリバンドすることがないので、１Ａ３の長さ領域においては、パチンコ玉の落下速度は重力によって増速する。
【００２２】
また落下制限機構１Ａは、１Ａ５の長さ領域において、バネ状体に形成された線状体間の間隔Ｐは、パチンコ玉の直径１１ｍｍより大きく、パチンコ玉が線状体に衝突した場合、パチンコ玉の下半球と線状体とが衝突する可能性があるのでそのような衝突があれば上方にリバンドしてパチンコ玉の落下速度が低下する。またバネ状体に形成された線状体間の間隔Ｐは、パチンコ玉の直径より大きいので、線状体間を抜けてパチンコ玉をバネ状体の外部へ排出する場合もあり、いずれの線状体間を抜けるか特定できないのでパチンコ玉の落下方向を分散させる。
【００２３】
ここで落下制限機構１Ａは、１Ａ５の長さ領域において、バネ状体に形成された線状体間の間隔Ｐは、パチンコ玉の直径１１ｍｍの１／２より大きくかつ１１ｍｍ迄に形成してもよい。この場合、パチンコ玉が線状体に衝突した場合、パチンコ玉の下半球と線状体とが衝突する時には上方にリバンドするので、１Ａ５の長さ領域においては、パチンコ玉の落下速度は低下する。しかしながら、線状体間の間隔Ｐは、パチンコ玉の直径１１ｍｍの１／２より大きくかつ１１ｍｍ迄では落下速度を落とせるものの、バネ状体の外側へ排出できなくなるので、バネ状体に形成された線状体間の間隔Ｐをパチンコ玉が通過可能に形成するか、後述する底部の渦巻き部１Ａ１を設けず、直接下方に落下させるようにしてもよい。
【００２４】
またさらに１Ａ５の長さ領域において、筒状に形成されたバネ状体の内側に突出した、パチンコ玉の進行を妨害する進行妨害部ＯＪＴ１、ＯＪＴ２、ＯＪＴ３、ＯＪＴ４、等を備える。進行妨害部はバネ状体の線状体にスポット溶接にて取り付けられた棒状体（形状は棒状でなくてもよい）であり、内側へ突出した先端はパチンコ玉を線状体の方に向けて弾くよう下方傾斜（図２では下方傾斜のみ）、または上方傾斜させて設ける。落下制限機構１Ａは、上流側１Ａ３の領域では線状体間の間隔が密、下流側１Ａ５の領域では線状体間の間隔が疎となるよう形成される。このように形成されることで、位置エネルギーの大きな上流側１Ａ３では、パチンコ玉をバネ状体の外部に排出するのを防止できる。
【００２５】
また落下制限機構１Ａは、遊技媒体返却通路３から垂下して取り付けられた最下流側に図２のＴｙｐｅＡ−Ｂｏｔｔｏｍ  Ｖｉｅｗで示すように、線状体を内側に渦巻きの如く渦巻き部１Ａ１を形成して、渦巻き部１Ａ１の渦巻き中央１Ａ２付近に線状体の最下端部を形成するようにした。このようにすることで、パチンコ玉のうち出口２から垂直に落下したパチンコ玉をも確実に、一旦渦巻き部１Ａ１で受けて落下速度を低下させてその周囲の線状体間Ｋを抜けて外部に排出するようにした。なお渦巻き部１Ａ１は、中央１Ａ２を上方に向かって凸としてもよいが、パチンコ玉の落下する方向がパチンコ玉が通過可能なＫからの外部への排出に偏るため、さらに１Ａ２を下方に向かって凸とすると、そこに数個のパチンコ玉が線状体間Ｋがパチンコ玉より小さい領域において溜まり、その溜まったパチンコ玉に落下したパチンコ玉が衝突すると、溜まったパチンコ玉と新たに落下したパチンコ玉の衝突角度が様々となるので、パチンコ玉の落下する方向をさらに大きく分散させることができる。
【００２６】
次いで図３について説明する。図３は、島内の長手方向から水平方向に見た図（図１では右方向から見た）である。図３において、遊技媒体返却通路３の下流側に穿設された出口２は、流下するパチンコ玉を通過可能な開口面積を有する。出口２の下方には、遊技媒体返却通路３の下面に落下制限機構１Ａ’を「鉛直下方に対し斜めに」垂下させて備える。遊技媒体返却通路３は台間機８の遊技者側の短手方向の寸法が４ｃｍ弱であるため、パチンコ玉２個が並列して流下可能な寸法に設けられる。従って出口２の開口面積もパチンコ玉の直径１１ｍｍ２個が並んで通過可能な面積に設けられる。
【００２７】
落下制限機構１Ａ’は、線状体を螺旋構造に形成してバネ状体としたものである。線状体には金属、プラスチックなどを用いて形成することができる。バネ状体の出口２側の最上流における開口部は、出口２の開口面積より大きな面積に、断面が円状に形成されている。バネ状体の出口２側の最上流における開口部は、このような開口面積することで出口２から落下するパチンコ玉の通過の障害とならずにスムーズにどぶ５に導くことができる。
【００２８】
また落下制限機構１Ａ’は、上流側の線状体間の間隔が密、下流側の線状体間の間隔が疎となっており、位置エネルギーの大きな上流側では、パチンコ玉をバネ状体の外部に排出するのを防止できる。
【００２９】
また落下制限機構１Ａ’は、下流側においてバネ状体を形成する線状体間の間隔Ｐがパチンコ玉を通過可能な幅に形成され、この間をパチンコ玉が通過して様々な方向に分散させて落下させることができるようにするとともに、落下したパチンコ玉の下半球が線状体と接触して落下速度を低下させることができる。
【００３０】
また落下制限機構１Ａ’は、出口２から鉛直下方に対しやや斜めに垂下させ、出口２から落下したパチンコ玉が落下中に必ずバネ状体を形成する線状体に当たるよう形成されるので、パチンコ玉の落下速度を確実に低下できる。
【００３１】
また落下制限機構１Ａ’は、遊技媒体返却通路３から垂下して取り付けられた最下流側に図３のＴｙｐｅＡ’−ＰＳ  Ｖｉｅｗで示すように、線状体を内側に渦巻きの如く渦巻き部を形成し、その渦巻き中央が最下流になるようにするようにした。そしてさらに渦巻き中央に至るまでの間の線状体の間隔はパチンコ玉を通過可能とすることで、落下したパチンコ玉が線状体と接触する点が様々な点となるので落下方向を分散させることができるとともに、線状体の上方にリバンドさせることで落下速度を低下できる。
【００３２】
次いで図４を説明する。図４は、島内の長手方向から水平方向に見た図（図１では右方向から見た）である。図４において、遊技媒体返却通路３の下流側に穿設された出口２は、流下するパチンコ玉を通過可能な開口面積を有する。出口２の下方には、遊技媒体返却通路３の下面に落下制限機構１Ｂを垂下させて備える。
【００３３】
落下制限機構１Ｂは、棒状体１Ｂ１の上流端を遊技媒体返却通路３の下面に備え、パチンコ玉の落下点に突出部１Ｂ２、１Ｂ３、または１Ｂ４を備える。突出部１Ｂ２、１Ｂ３、または１Ｂ４に落下したパチンコ玉が当たりリバンドすることで落下速度が低下する。突出部１Ｂ２、１Ｂ３、または１Ｂ４は、合成樹脂や低質量の金属等の低反発材で形成されリバンドによるパチンコ玉の上昇を極力抑える。突出部１Ｂ１、１Ｂ４は、水平に平面を為しているが、その平面のエッジにパチンコ玉が当たったり或いはパチンコ玉の落下コースのバラツキにより落下方向を分散させることができる。
【００３４】
また突出部１Ｂ３の如くドーム状（円錐状でもよい）としその頂上１Ｂ＝ＴＯＰを落下点に設けるようにすると、落下点に若干のバラツキが生じるため、落下方向が分散できるので好ましい。また１Ｂ２、１Ｂ４も同様に平板に変えて曲面で形成するようにすればパチンコ玉の落下方向を分散できて好ましい。なお１Ｂ４の場合にはパチンコ玉の落下方向を変えるので好ましい。
【００３５】
他の突出部として、円錐の先端部を下方に向けた下に絞られたロート形状のものでもよく、円錐を形成する曲面に当たったパチンコ玉の落下方向を分散させるとともに、リバンドにより落下速度を低下できる。また円錐の頂点をカットして、パチンコ玉をそのカットした開口部から落下させるようにしてもよいが、落下点が集中するので、カットせずパチンコ玉を貯めて、その貯めたパチンコ玉の球面に新たに落下するパチンコ玉を衝突させてパチンコ玉の落下方向を分散させるとともに、リバンドにより落下速度を低下するようにしてもよい。
【００３６】
次いで図５を説明する。図５は、島内の長手方向から水平方向に見た図（図１では右方向から見た）である。図５において、遊技媒体返却通路３の下流側に穿設された出口２は、流下するパチンコ玉を通過可能な開口面積を有する。出口２の下方には、遊技媒体返却通路３の下面に落下制限機構１Ｃを垂下させて備える。
【００３７】
落下制限機構１Ｃは、棒状体１Ｃ１の上流端を遊技媒体返却通路３の下面に備え、パチンコ玉の落下点に複数の突出部１Ｃ２、１Ｃ３、１Ｃ４、及び１Ｃ５を備える。突出部１Ｃ２、１Ｃ３、１Ｃ４、１Ｃ５はそれぞれ、多数の針金を木の枝状に形成したもの、上面が球面、細長い直方体、卵形状であり、ＴｙｐｅＣ−Ｂｏｔｔｏｍ  Ｖｉｅｗで示す如く落下点の異なるパチンコ玉に対応して多少ずらして配置される。このように構成することで、パチンコ玉の落下点は分散され、各突出部に衝突する際の上方へのリバンドによって落下速度を低下できる。
【００３８】
次いで図６を説明する。図６は、島内の長手方向から水平方向に見た図（図１では右方向から見た）である。図６において、遊技媒体返却通路３の下流側に穿設された出口２は、流下するパチンコ玉を通過可能な開口面積を有する。出口２の側方（図の右側）には、遊技媒体返却通路３の出口２側に落下制限機構１Ｄを備える。落下制限機構１Ｄは、線状体を螺旋状に形成したバネ状体であり、バネの伸縮方向が水平方向（図の右側）になるよう形成される。落下制限機構１Ｄにおける線状体間の間隔は、パチンコ玉が通過可能な形状に形成され、凡そパチンコ玉はｇ１、ｇ２、ｇ３、ｇ４、ｇ５、ｇ６、ｇ７のそれぞれから落下することで落下方向を分散させることができる。
【００３９】
次いで図７を説明する。図７は、島内の長手方向から水平方向に見た図（図１では右方向から見た）である。図７において、遊技媒体返却通路３の下流側に穿設された出口２は、流下するパチンコ玉を通過可能な開口面積を有する。出口２の下方には、遊技媒体返却通路３の下面に落下制限機構１Ｅを備える。落下制限機構１Ｅは、遊技媒体返却通路３の下流端部に設けられたモータＥ１から駆動シャフトＥ２を介して減速ギヤボックスＥ３を介して減速された回転駆動する回転軸Ｅ４に、プロペラＥ５を設けてなる。プロペラＥ５は回転すると出口３から落下するパチンコ玉を打撃して様々な方向に飛ばす。
【００４０】
以上説明してきた落下速度、及び／又は、落下方向を分散させる落下速度制限機構として、図２のＴｙｐｅＡにおける１Ａ、図３のＴｙｐｅＡ’における１Ａ’、図４のＴｙｐｅＢにおける１Ｂ、図５のＴｙｐｅＣにおける１Ｃ、図６のＴｙｐｅＤにおける１Ｄ、図７のＴｙｐｅＥを、遊技媒体返却通路３の下流端部側、即ち、遊技台に隣接して設けられ、投入された現金または受け付けた記憶媒体に記憶された有価価値特定情報に基づいて遊技媒体を貸し出すための処理をする台間機の下方側に取り付ける工程を経て、本実施の形態のおける遊技媒体返却通路を、台間機に取り付けて製造することができる。
【符号の説明】
【００４１】
１・・・落下制限機構、１Ａ・・・落下制限機構の第１例、１Ｂ・・・落下制限機構の第２例、１Ｃ・・・落下制限機構の第３例、１Ｄ・・・落下制限機構の第４例、１Ｅ・・・落下制限機構の第５例、２・・・出口、３・・・遊技媒体返却通路、４・・・玉通路、５・・・どぶ、６・・・玉受部、７・・・パチンコ遊技台、８・・・台間機
【図１】
2010137089.tif 000003
【図２】
2010137089.tif 000004
【図３】
2010137089.tif 000005
【図４】
2010137089.tif 000006
【図５】
2010137089.tif 000007
【図６】
2010137089.tif 000008
【図７】
2010137089.tif 000009